(57)【要約】【課題】  本発明は、収納物を収納する袋体であり、この袋体の開口部を咬合具によって開閉自在に封鎖することのできる袋体の咬合具を封鎖するための封鎖装置であって、手作業ではなく大量の袋体を短時間に効率よく封鎖できる袋体の開口部の咬合具を封鎖する封鎖装置の提供を課題とする。【解決手段】  袋体を送る送り台のベルトコンベヤーと、送り台部のベルトコンベヤーの送り方向である進行方向に沿って該送り台部の一側辺に送り壁部を有し、該送り壁部は、縦状にベルトコンベヤーを有し、送り壁部方向に傾斜して形成した胴部用導通板と上部用導通板とを有しており、該胴部用導通板と上部用導通板とは、送り台部のベルトコンベヤー上に形成し、送られた袋体を挟み込む一対のローラからなる封鎖用ローラを有する袋体の開口部の咬合具を封鎖する封鎖装置。【選択図】  図１
2018177362.tif 000002
【特許請求の範囲】
【請求項１】
袋体の開口部の咬合具を封鎖する封鎖装置であって、
袋体を送る送り台部１０のベルトコンベヤー１１と、
送り台部１０のベルトコンベヤー１１の送り方向である進行方向に沿って該送り台部１０の一側辺に送り壁部２０を有し、
該送り壁部２０は、縦状にベルトコンベヤー２１を形成して袋体を送るものであり、
送り壁部２０方向に傾斜して形成した胴部用導通板３と上部用導通板４とを有しており、
該胴部用導通板３と上部用導通板４とは、送り台部１０のベルトコンベヤー１１上に形成し、
送られた袋体を挟み込む一対のローラ５０，５０からなる封鎖用ローラ５を有し、
収納物を収納した開口の袋体を送り台部１０のベルトコンベヤー１１で送り、
該袋体を胴部用導通板３と上部用導通板４とにより送り壁部２０に近付け、
封鎖用ローラ５によって袋体の開口部の咬合具を封鎖する封鎖装置。
【請求項２】
封鎖用ローラ５は、送り壁部２０の送り用のベルトコンベヤー２１を挟んで配設する一対のローラ５０，５０により構成していることを特徴とする請求項１記載の袋体の開口部の咬合具を封鎖する封鎖装置。
【請求項３】
送り台部１０のベルトコンベヤー１１は、送り壁部２０の反対側の側部に傾斜台６を有し、
送り台部１０のベルトコンベヤー１１の一側部をもち上げて傾斜したベルトコンベヤー面を有するベルトコンベヤー１１であることを特徴とする請求項１又は２のいずれかに記載の袋体の開口部の咬合具を封鎖する封鎖装置。
【請求項４】
送り台部１０のベルトコンベヤー１１と、送り壁部２０の縦状のベルトコンベヤー２１と、封鎖用ローラ５とは、それぞれ袋体の送り速度が同じであることを特徴とする請求項１乃至３のいずれかに記載の袋体の開口部の咬合具を封鎖する封鎖装置。
【発明の詳細な説明】
【技術分野】
【０００１】
本発明は、咬合具を開口部に有する袋体の封鎖装置であって、樹脂性等のフィルムにより構成される上部開口の袋体内に品物を封入し、この袋体の開口部の咬合具を封鎖する封鎖装置に関する。
【背景技術】
【０００２】
樹脂性等のフィルムの袋体の開口部内に商品を封入し、この開口部を封鎖することにより商品を封入した袋体を取引に用いることは多種の場面で用いられている。
特に、袋体内の開口部から袋体に商品を入れた状態で簡単に封鎖でき、更に必要に応じて開口することのできる咬合具を有する袋体は多用されている。
この咬合具は、袋体の内面の一面にその開口部に沿って凸状部を有するものであり、他方、該内面と対面している他の一面の内面にその開口部に沿って凹状部を有し、この凸状部を凹状部で咬合することによって封鎖する咬合具であり、この様な咬合具を有する開閉自在の袋体は、多く用いられている。
【０００３】
例えば、特開平９−３０９５４６号（特許文献１）に示す袋体や、特開平１０−２５０７４６号（特許文献２）に示す袋等が存在する。
この場合、この咬合具を閉じるための封鎖具としては、手で１つずつ封鎖する作業を行うものが最も多い。
又、予め袋体ごとにスライダーを構成して、このスライダーを用いて封鎖し、又開口にすることのできる袋体も存在する。
例えば、特開２０１０−９５２９２号（特許文献３）に示すスライダーや、特開２０１１−１１５３８３号（特許文献４）に示す収納袋等が存在する。
【０００４】
更に、特許文献１や特許文献２に示す袋体の咬合具を１つずつ封鎖するための封鎖具としては、特開２０１４−７９３２１号（特許文献５）や、特開平１１−２９２０３７号（特許文献６）、或いは特開平７−３０１２１３号（特許文献７）に示す封鎖具等も存在する。
【先行技術文献】
【特許文献】
【０００５】
【特許文献１】特開平９−３０９５４６号公報
【特許文献２】特開平１０−２５０７４６号公報
【特許文献３】特開２０１０−９５２９２号公報
【特許文献４】特開２０１１−１１５３８３号公報
【特許文献５】特開２０１４−７９３２１号公報
【特許文献６】特開平１１−２９２０３７号公報
【特許文献７】特開平７−３０１２１３号公報
【発明の概要】
【発明が解決しようとする課題】
【０００６】
以上の様に、商品を袋体内に収納して販売等の取引を行うための袋体自体に開閉可能な袋体を用いるため咬合具を有する袋体は多用されている。
この場合、従来、特許文献１や特許文献２に示す袋体内に商品を収納し、この袋体の開口部の咬合具を手で一つずつ咬み合わせて閉じることにより封鎖する作業を行い、袋体内に商品を袋詰めるものである。
従って、少量でよければこの封鎖作業は手作業で足りるが、数量が増えると手で封鎖する方法は極めて手間がかかるばかりか、咬合具の閉鎖は手への負担が極めて大きく、量が増える場合には対処できなかった。
【０００７】
これに対して特許文献５、特許文献６、特許文献７に示す袋体の咬合具を手作業で封鎖するための封鎖具も存在する。
しかし、この封鎖具を用いても大量の袋体への商品の封入と袋体の開口部の咬合具の封鎖を行うことは極めて手間がかかるものであり、大量の袋体に対する咬合具の封鎖には大人数の作業者を必要とし、極めて手間のかかるものとなっている。
【０００８】
特許文献３や特許文献４に示すようなスライダーを有する袋体の場合であっても、封鎖の便宜は図れるが、大量の袋体に対する咬合具の封鎖には、前記と同様に大人数の作業者を必要とし、極めて手間のかかるものである。
特に、スライダー付きの袋体を用いると袋体自体の単価がより高額となり、大量の一般的な商品の袋体への袋詰めには用いにくいものとなる。
【０００９】
従って、大量の商品を咬合具を有する袋体内に収納した上で、この大量の袋体の開口部の咬合具を咬合により封鎖する封鎖装置が要望される。
特に大量の袋体を短時間に効率よく封鎖できる袋体の開口部の咬合具を封鎖する封鎖装置の提供が望まれている。
【課題を解決するための手段】
【００１０】
係るため、請求項１記載の発明は、袋体の開口部の咬合具を封鎖する封鎖装置であって、袋体を送る送り台部のベルトコンベヤーと、送り台部のベルトコンベヤーの送り方向である進行方向に沿って該送り台部の一側辺に送り壁部を有し、該送り壁部は、縦状にベルトコンベヤーを形成して袋体を送るものであり、送り壁部方向に傾斜して形成した胴部用導通板と上部用導通板とを有しており、該胴部用導通板と上部用導通板とは、送り台部のベルトコンベヤー上に形成し、送られた袋体を挟み込む一対のローラからなる封鎖用ローラを有し、収納物を収納した開口の袋体を送り台部のベルトコンベヤーで送り、該袋体を胴部用導通板と上部用導通板とにより送り壁部に近付け、封鎖用ローラによって袋体の開口部の咬合具を封鎖する封鎖装置からなる。
係る発明により前記課題を解決できる。
【００１１】
又、請求項２に係る発明は、封鎖用ローラが、送り壁部の送り用のベルトコンベヤーを挟んで配設する一対のローラにより構成した袋体の開口部の咬合具を封鎖する封鎖装置であり、係る発明でもよい。
【００１２】
或いは、請求項３に係る発明のように送り台部のベルトコンベヤーには送り壁部の反対側の側部に傾斜台を有し、送り台部のベルトコンベヤーの一側部をもち上げて傾斜したベルトコンベヤー面を有するベルトコンベヤーである袋体の開口部の咬合具を封鎖する封鎖装置であってもよい。
又、請求項４に係る発明のように送り台部のベルトコンベヤーと、送り壁部の縦状にベルトコンベヤーと、封鎖用ローラとはそれぞれ袋体の送り速度が同じである袋体の開口部の咬合具を封鎖する封鎖装置によっても、より適切に袋体の封鎖ができる。
【発明の効果】
【００１３】
以上のように構成したことから、請求項１に係る発明により、収納物を収納した袋体であって開口した咬合具を有する袋体を順次送って封鎖用ローラで咬合具を封鎖できるものであり、手作業によらずに該装置によって大量の袋体の開口部の咬合具の封鎖を行うことができる。
特に、袋体の咬合具の封鎖に際して封鎖用ローラまで袋体を導くことができ、又封鎖用ローラで確実に袋体の開口部の咬合具の封鎖が行うことができる。
【００１４】
又、請求項２に係る発明により封鎖用ローラは送り壁部の送り用のベルトコンベヤーを挟んで配設する一対のローラにより構成しており、送り壁部方向に導かれた袋体をこの送り壁部を挟んで配設した一対のローラの袋体を挟み込むことができ、袋体を適切に封鎖用ローラで挟み込むことを可能とする。
更に、請求項３に係る発明により、傾斜台で送り台上のベルトコンベヤーを傾斜させることができ、送り段階でこの傾斜によって送り壁部方向に袋体を移動させることができる。
【００１５】
又、請求項４に係る発明により、袋体を送るそれぞれの送り台部のベルトコンベヤーと、送り壁部の縦状のベルトコンベヤーと、封鎖用ローラとが、同速で袋体を送るものとなり、袋体を所定の方向に効率よく導くことができる。
【図面の簡単な説明】
【００１６】
【図１】本発明に係る袋体の開口部の咬合具を封鎖する封鎖装置の一例を示す図
【図２】図１に示す本発明に係る袋体の開口部の咬合具を封鎖する封鎖装置を上部から視認した状態の一例を示す図
【図３】本発明に係る袋体の開口部の咬合具を封鎖する封鎖装置に、送られる袋体を置いた状態の一例を示す図
【図４】図３に示す本発明に係る袋体の開口部の咬合具を封鎖する封鎖装置に、送られる袋体を置いて上部から視認した状態の一例を示す図
【図５】本発明に係る袋体の開口部の咬合具を封鎖する封鎖装置に、送られる袋体を置いた状態の一例を示す図
【図６】図５に示す本発明に係る袋体の開口部の咬合具を封鎖する封鎖装置に、送られる袋体を置いて上部から視認した状態の一例を示す図
【図７】本発明に係る袋体の開口部の咬合具を封鎖する封鎖装置に、送られる袋体を置いて上部から視認した状態の一例を示す図
【図８】本発明に係る袋体の開口部の咬合具を封鎖する封鎖装置に、送られる袋体を置いた状態の一例を示す図
【図９】図８に示す本発明に係る袋体の開口部の咬合具を封鎖する封鎖装置に、送られる袋体を置いて上部から視認した状態の一例を示す図
【図１０】本発明に係る袋体の開口部の咬合具を封鎖する封鎖装置の可動状態の一例を示す図
【図１１】図１０に示す本発明に係る袋体の開口部の咬合具を封鎖する封鎖装置の可動状態を上部から視認した状態の一例を示す図
【発明を実施するための形態】
【００１７】
図１は、本発明に係る袋体の開口部の咬合具を封鎖する封鎖装置の一例を示す図である。
本図に示すように、本発明に係る袋体の開口部の咬合具を封鎖する封鎖装置は、送り台部１０を有しており、例えばベルトコンベヤー１１によってこの上に開口した袋体Ａを置いた場合には、このベルトコンベヤー１１の移動によって送り方向に移動するものである。
この送り台部１０のベルトコンベヤー１１は、ローラ等の回転によって移動し、この送り台部１０上の袋体Ａは、このベルトコンベヤー１１によって送られる。
【００１８】
更に、この送り台部１０のベルトコンベヤー１１の送り方向である進行方向に沿って該送り台部１０の奥側に送り壁部２０を有している。
この送り壁部２０は、縦状にベルトコンベヤー２１を形成しており、ローラ２２によってベルトコンベヤー２１は可動するものである。
従って、壁方向においてもこの送り壁部２０に接すると、この送り壁部２０によっても袋体Ａが送られる。
この場合送り台部１０のベルトコンベヤー１１と送り壁部２０のベルトコンベヤー２１とは同速で送られている。
【００１９】
更に、送り台部１０で送られた袋体Ａは、胴部用導通板３と上部用導通板４とにより送り壁部２０方向に導かれ、胴部用導通板３と上部用導通板４との端部で封鎖用ローラ５に繋がっている。
これにより、送り台部１０上に載置された開口状態の袋体Ａは、この送り台部１０のベルトコンベヤー１１によって送られ、更に胴部用導通板３と上部用導通板４とによって袋体Ａは送り壁部２０方向に導かれ、更にこの袋体Ａの上部の咬合具は、封鎖用ローラ５によって挟み込まれた状態で送られる。
【００２０】
この封鎖用ローラ５は、一対のローラ５０，５０によって形成され、袋体Ａは、この一対のローラ５０，５０に挟まれて、圧着状態で送られる。
従って、咬合具は、この封鎖用ローラ５を通過することによって、この一対のローラ５０，５０に挟まれた状態で送られることから咬合具の封鎖がなされる。
即ち、袋体Ａの咬合具は、袋体Ａの内面の一面にその開口部に沿って凸状部を有し、他方該内面と対面している他の一面の内面には開口部に沿って凹状部を有しており、この凸状部を凹状部で咬合することによって封鎖する咬合具であることから、この両者を圧着することにより、凹状部間に凸状部が挟み込まれて封鎖される。
このため、袋体Ａをこの封鎖用ローラ５に挟み込んで送ることによって咬合具の封鎖がなされる。
【００２１】
更に、本図に示すように、送り台部１０のベルトコンベヤー１１は、胴部用導通板３の近傍に傾斜台６を有しており、この傾斜台６は送り壁部２０の反対側の側部に有しているものであり、凡そ送り方向に沿って胴部用導通板３の近傍から封鎖用ローラ５の先の位置迄形成されている。
この傾斜台６によって送り台部１０のベルトコンベヤー１１は、送り壁部２０の反対側の側部が持ち上がった状態となることから、袋体Ａは、送り壁部２０方向に傾斜した状態で送り台部１０のベルトコンベヤー１１上を送られる。
【００２２】
これにより、送られる袋体Ａは、傾斜した状態となって送られることとなり、胴部用導通板３と上部用導通板４とによって送り壁部２０方向に移動する。
そして、少なくとも封鎖用ローラ５の位置では、袋体Ａは、送り壁部２０に接するような状態で送られ、袋体Ａの上部に設けている咬合具を容易に封鎖用ローラ５に挟み込むことができる。
従って、この挟んだ状態で袋体Ａの咬合具を送り込むと、この袋体Ａの一面の凸状部と他面の凹状部とが咬合して袋体Ａの開口部の封鎖を行うことができる。
【００２３】
この場合、送り台部１０のベルトコンベヤー１１によって袋体Ａが送られて、袋体Ａの開口部の封鎖ができ、この送り台部１０上に順次商品等の内容物を入れた状態で開口した袋体Ａを順次送り込むことにより、送られた袋体Ａを順次封鎖できる。
従って、送りの速度で袋体の封鎖ができ、多数の袋体Ａの封鎖を容易かつスピーディに行える。
【００２４】
図２は、図１に示す本発明に係る袋体の開口部の咬合具を封鎖する封鎖装置の一例を上部から視認した図である。
本発明に係る袋体の開口部の咬合具を封鎖する封鎖装置は、まず土台上に送り台部１０を有しており、この送り台部１０は、ベルトコンベヤー１１によって袋体Ａを順次送るものである。
この送り台部１０の奥方向の側部には、送り壁部２０を有しており、ローラ２２によってベルトコンベヤー２１が可動する。
送り台部１０上の任意位置に胴部用導通板３と上部用導通板４とを有しており、送られた袋体Ａを徐々に送り壁部２０方向に導くために、両者ともに送り壁部２０方向に傾斜して形成されている。
【００２５】
この胴部用導通板３と上部用導通板４とは、本封鎖装置の送り台部１０の台上から連設部によって連設されている。
更に、胴部用導通板３と上部用導通板４との送り方向の終端部には封鎖用ローラ５が形成されており、袋体Ａは、一対のローラ５０，５０によって送り方向に挟まれて送られる。
尚、本図では明示されていないが、送り台部１０のベルトコンベヤー１１の送り壁部２０と反対方向の側部には傾斜台６を有している。
【００２６】
図３は、本発明に係る袋体の開口部の咬合具を封鎖する封鎖装置の送り台部１０のベルトコンベヤー１１上に、開口された袋体Ａが載置されている状態の一例を示す図である。  本図のように、袋体Ａ内に商品である内容物を入れた状態の開口した袋体Ａを送り台部１０のベルトコンベヤー１１上に置くと、この袋体Ａは、ベルトコンベヤー１１によって送り方向に送られる。
【００２７】
図４は、図３に示す本発明に係る袋体の開口部の咬合具を封鎖する封鎖装置の送り台部１０のベルトコンベヤー１１上に、開口された袋体Ａが載置されている状態を上部から視認した状態を示す図である。
本図に示す様に、このベルトコンベヤー１１の中央部に袋体Ａが置かれている。
尚、本図では説明のためにベルトコンベヤー１１上の袋体Ａは１つのみ示すが、このベルトコンベヤー１１上に順次袋体Ａを置き、ベルトコンベヤー１１の送りに従って順次袋体Ａが送られるものであってもよい。
【００２８】
図５は、図３、図４に示した状態から更に袋体Ａが送られた状態の一例を示す図である。
本図に示す通り、送り台部１０上の傾斜台６によってベルトコンベヤー１１の送り壁部２０の反対側の側辺部分が持ち上がっており、送り壁部２０方向に傾斜した状態のベルトコンベヤー１１上に袋体Ａが置かれた状態で送られている。
従って、送り台部１０のベルトコンベヤー１１の一側部を持ち上げて傾斜したベルトコンベヤー面を有するベルトコンベヤーとなる。
これにより、送られる袋体Ａは、この傾斜によって徐々に送り壁部２０方向にずれやすくなって送られ、徐々に送り壁部２０方向にずれて送られる。
【００２９】
図６は、図５に示す本発明に係る袋体の開口部の咬合具を封鎖する封鎖装置に、送られる袋体Ａを置いた状態を上部から視認した図である。
本図に示す通り、送られる袋体Ａは、送り壁部２０方向に例えば上部が斜めに倒れかかり、或いは胴部用導通板３によって送り壁部２０方向に導かれて送られる。
【００３０】
特に、傾斜台６によって送り台部１０のベルトコンベヤー１１の送り壁部２０の反対側の側辺部分が持ち上がっており、送り壁部２０方向が下部に下がった状態で傾斜して送られることから、このベルトコンベヤー１１上の袋体Ａも、同様に送り壁部２０方向に傾斜した状態で送られる。
従って、袋体Ａの上部が送り壁部２０方向に近付いていることから、胴部用導通板３によって袋体Ａを送り壁部２０方向に導いて送ることができる。
【００３１】
図７は、図５、図６に示した状態から更に袋体Ａが送られた状態であって、本発明に係る袋体の開口部の咬合具を封鎖する封鎖装置に、送られる袋体Ａを置いた状態を上部から視認した図である。
本図に示す通り、胴部用導通板３は送り壁部２０方向に傾斜して形成されており、徐々に送り壁部２０方向に近付いて送ることができる。
この様に胴部用導通板３が送り壁部２０方向に傾斜して形成していることから、袋体Ａを徐々に送り壁部２０方向に導くことができる。
【００３２】
図８もまた、本発明に係る袋体の開口部の咬合具を封鎖する封鎖装置の一例の送り台部１０のベルトコンベヤー１１上に、開口された袋体Ａを載置してベルトコンベヤー１１上を送っている状態の一例を示す図である。
図８では、図５、図６に示す送り状態から袋体Ａが送られた後、図７に示す袋体Ａの送り状態から更に袋体Ａが送られ、胴部用導通板３と上部用導通板４とによって袋体Ａが送り壁部２０に沿って送られている状態を示す。
【００３３】
上部用導通板４は、徐々に送り壁部２０方向に導くために送り壁部２０方向に傾斜して形成されている。
従って、送られる袋体Ａは、上部用導通板４の終端では送り壁部２０のベルトコンベヤー２１に接する状態で袋体Ａを封鎖用ローラ５に送ることができる。
この状態で、袋体Ａの開口部の咬合具がある袋体上部は、更に続く一対のローラ５０，５０を有する封鎖用ローラ５に送られる。
この封鎖用ローラ５は、一対のローラ５０，５０がそれぞれのローラ５０の面に略接するように近似又は接して配置している。
そして、それぞれのローラ５０は回転しているため、この一対のローラ５０，５０間に挟まれる袋体Ａを送り方向に送るものである。
【００３４】
従って、袋体Ａは、ローラ５０が順次回転することによって挟まれた状態で送り方向に送られる。
この封鎖用ローラ５によって挟まれた状態で袋体Ａを送ることにより、袋体Ａのこのローラ５０に挟まれた個所は、順次ローラ５０によって袋体Ａの表裏面が圧着される。
特に、この封鎖用ローラ５は、袋体Ａの上部の開口部の周囲を圧着するものであり、袋体Ａの開口部の封鎖のための咬合具の設置位置を順次圧着する。
【００３５】
更に、この封鎖用ローラ５は、袋体Ａの下部に迄は及んでおらず、袋体Ａ内に収納している収納物には何ら影響を与えるものではないことから、開口部の封鎖のための袋体Ａの咬合具を圧着して封鎖するものであり、袋体Ａ内に内容物が収納されている状態でも封鎖が可能である。
従って、少なくとも送られる袋体Ａの開口部の咬合具の設置位置に封鎖用ローラ５を有すればよい。
【００３６】
尚、この封鎖用ローラ５の回転速度と、送り台部１０上のベルトコンベヤー１１の速度と、送り壁部２０のベルトコンベヤー２１の速度とは、いずれも一致していることが望ましい。
これにより、袋体Ａの封鎖に際しての送り速度が一致し、一定の速度で袋体Ａの送りと封鎖が行うことができる。
【００３７】
図９は、袋体Ａが送られた状態であって、本発明に係る袋体の開口部の咬合具を封鎖する封鎖装置に、送られる袋体Ａを置いた状態を上部から視認した図であり、図６及び図７に示す袋体Ａの送り状況から更に袋体Ａが送られている状態の一例を示す図である。
特に、図８に示す送り状況を上部から視認した状態を示す図である。
【００３８】
本図は、袋体Ａが胴部用導通板３と上部用導通板４とによって送り壁部２０に沿って送られ、袋体Ａが胴部用導通板３と上部用導通板４の先に配置している封鎖用ローラ５に送られる段階の状態を示す図である。
送り台部１０のベルトコンベヤー１１の下に設けた傾斜台６によって送られる袋体Ａは、送り壁部２０方向に斜めに傾いて傾斜して送られた上、胴部用導通板３と上部用導通板４とによって徐々に送り壁部２０方向に移動する。
【００３９】
これによって、送り壁部２０に添う位置迄移動した上でこの送り壁部２０の送り用のベルトコンベヤー２１を挟んで形成される一対のローラ５０，５０により形成される封鎖用ローラ５に、袋体Ａの上部が挟まれた状態で送られる。
本図に示す状態で袋体Ａが更に送られると、封鎖用ローラ５に袋体Ａが挟まれることとなり、この封鎖用ローラ５の回転により更に袋体Ａは挟まれた状態で送られる。
【００４０】
この袋体Ａの封鎖用ローラ５による挟まれたままの送りにより、袋体Ａの開口部の封鎖のための咬合具の凸状部と凹状部とを圧着することができ、両者を咬合して封鎖することができる。
【００４１】
図１０は、本発明に係る袋体の開口部の咬合具を封鎖する封鎖装置の封鎖用ローラ５によって袋体Ａの咬合具が封鎖された後に、送り台部１０のベルトコンベヤー１１上を封鎖された袋体Ａが送られている状態の一例を示す図である。
本図に示す様に、送られた袋体Ａは封鎖されており、以後必要な工程に進めることができる。
例えば、袋詰め等の工程に進むことができる。
【００４２】
図１１は、図１０を上部から視認した状態を示す図である。
本図に示す様に、内部に商品等を入れた開口した袋体Ａを順次送り込み、順次この開口を封鎖できる。
従って、本発明によれば、大量の開口した袋体Ａを順次封鎖できることから人手をかけずに大量の袋体の封鎖を行うことができる。
【符号の説明】
【００４３】
１０    送り台部
１１    ベルトコンベヤー
２０    送り壁部
２１    ベルトコンベヤー
２２    ローラ
３      胴部用導通板
４      上部用導通板
５      封鎖用ローラ
５０    ローラ
６      傾斜台
Ａ      袋体
【図１】
2018177362.tif 000003
【図２】
2018177362.tif 000004
【図３】
2018177362.tif 000005
【図４】
2018177362.tif 000006
【図５】
2018177362.tif 000007
【図６】
2018177362.tif 000008
【図７】
2018177362.tif 000009
【図８】
2018177362.tif 000010
【図９】
2018177362.tif 000011
【図１０】
2018177362.tif 000012
【図１１】
2018177362.tif 000013